(57)【要約】【課題】水位センサの出力に基づく判定を精度良く実施する。【解決手段】ふろ給湯装置（１）は、浴槽（８）と熱交換器との間に循環ポンプを介装接続して構成される循環回路と、ふろ給湯装置を制御する制御部と、浴槽の水位を測定するための水位センサ（３５）と、を備え、制御部は、測定される水位の変化から浴槽（８）における入浴の有無を判定する手段と、浴槽（８）の湯水が循環回路を介して循環するよう循環ポンプを所定時間毎に作動させる手段と、を含む。【選択図】図１
2018031541.tif 000002
【特許請求の範囲】
【請求項１】
ふろ給湯装置であって、
浴槽と熱交換器との間に循環ポンプを介装接続して構成される循環回路と、
前記ふろ給湯装置を制御する制御部と、
前記浴槽の水位を測定するための水位センサと、を備え、
前記制御部は、
測定される水位の変化から前記浴槽における入浴の有無を判定する手段と、
前記浴槽の湯水が前記循環回路を介して循環するよう前記循環ポンプを所定時間毎に作動させる手段と、を含む、ふろ給湯装置。
【請求項２】
前記作動させる手段は、
前記水位センサにより測定された前記水位が、前記入浴の有無を検出するための検出水位よりも低い予め定められた水位である場合は、前記所定時間毎に前記循環ポンプを作動させる、請求項１に記載のふろ給湯装置。
【請求項３】
前記作動させる手段は、
前記水位センサにより測定された前記水位が、前記入浴の有無を検出するための検出水位よりも低い予め定められた水位である場合は、前記循環ポンプを前記所定時間毎に、継続して作動させる、請求項１に記載のふろ給湯装置。
【請求項４】
前記制御部は、
前記所定時間または前記循環ポンプを継続して作動させる時間を、前記ふろ給湯装置の周囲温度に基づき変更する、請求項３に記載のふろ給湯装置。
【請求項５】
前記制御部は、
前記所定時間または前記循環ポンプを継続して作動させる時間を、前記循環回路の内部の水温に基づき変更する、請求項３に記載のふろ給湯装置。
【請求項６】
前記循環回路は、前記浴槽内に設けられた吸込口から前記熱交換器を経由して前記浴槽内に設けられた吐出口へ至るように形成され、
前記水位センサは、前記浴槽の吸込口から前記熱交換器までの途中部に配置される、請求項１から５のいずれか１項に記載のふろ給湯装置。
【発明の詳細な説明】
【技術分野】
【０００１】
この発明はふろ給湯装置に関し、特に、水位を測定する機能を有したふろ給湯装置に関する。
【背景技術】
【０００２】
従来、ふろ給湯装置においては、浴槽内の水位を検出する水位センサを備える。水位センサの出力に基づき、浴槽内に人が入ったことを判定すると、追い焚きを開始する。このような装置が、例えば特許文献１（特開２０１２−１４９７９７号公報）、特許文献２（特開平３−５６６２号公報）および特許文献３（実開平２−３０８３８号公報）により提案されている。
【先行技術文献】
【特許文献】
【０００３】
【特許文献１】特開２０１２−１４９７９７号公報
【特許文献２】特開平３−５６６２号公報
【特許文献３】実開平２−３０８３８号公報
【発明の概要】
【発明が解決しようとする課題】
【０００４】
上記の特許文献１−３では、浴槽の水位を検出する装置（水位センサ）の出力から、水位の上昇、すなわち浴槽に人が入ったことを判定し、判定の結果を、給湯器の自動制御に応用している。
【０００５】
しかし、ふろ配管内の水温が予め定められた温度以下に低下すると、温度の低下に従いふろ配管内の水の密度が大きくなり体積（水圧）が増加し、水位が上昇する。このような温度低下に伴い水位が変動すると、人が浴槽に入っていない場合であっても、水位センサの検出から人が浴槽内に入ったと誤判定する。水圧に基づく水位センサであってもこの誤判定の課題を有する。
【０００６】
それゆえに本発明の目的は、水位センサの出力に基づく判定を精度良く実施することのできるふろ給湯装置を提供することである。
【課題を解決するための手段】
【０００７】
本発明のある局面に係るふろ給湯装置は、浴槽と熱交換器との間に循環ポンプを介装接続して構成される循環回路と、ふろ給湯装置を制御する制御部と、浴槽の水位を測定するための水位センサと、を備える。制御部は、測定される水位の変化から浴槽における入浴の有無を判定する手段と、浴槽の湯水が循環回路を介して循環するよう循環ポンプを所定時間毎に作動させる手段と、を含む。
【０００８】
好ましくは、作動させる手段は、水位センサにより測定された水位が、入浴の有無を検出するための検出水位よりも低い予め定められた水位である場合は、所定時間毎に循環ポンプを作動させる。
【０００９】
好ましくは、作動させる手段は、水位センサにより測定された水位が、入浴の有無を検出するための検出水位よりも低い予め定められた水位である場合は、循環ポンプを所定時間毎に、継続して作動させる。
【００１０】
好ましくは、制御部は、所定時間または循環ポンプを継続して作動させる時間を、ふろ給湯装置の周囲温度に基づき変更する。
【００１１】
好ましくは、制御部は、所定時間または循環ポンプを継続して作動させる時間を、循環回路の内部の水温に基づき変更する。
【００１２】
好ましくは、循環回路は、浴槽内に設けられた吸込口から熱交換器を経由して浴槽内に設けられた吐出口へ至るように形成され、水位センサは、浴槽の吸込口から熱交換器までの途中部に配置される。
【発明の効果】
【００１３】
本発明によれば、水温の低下による水の体積変化の影響を緩和し、水位センサの出力に基づく判定を精度良く実施することができる。
【図面の簡単な説明】
【００１４】
【図１】本発明の実施の形態１に係るふろ給湯装置１の概略ブロック図である。
【図２】本発明の各実施の形態に係るコントローラ１００の概略構成図である。
【図３】実施の形態１に係るふろ給湯装置１の処理フローチャートである。
【図４】実施の形態１に係るポンプを作動させるタイミングを示すタイミングチャートである。
【発明を実施するための形態】
【００１５】
以下この発明の各実施の形態について図面を参照して詳細に説明する。なお各図中同一符号は同一または相当部分を示す。
【００１６】
各実施の形態に係るふろ給湯装置は、浴槽と熱交換器との間に循環ポンプを介装接続して構成される循環回路を備える。循環回路は、循環によって回路内の温度を入浴の設定温度となるまで追い焚きするための回路としても機能し得る。ふろ給湯装置は、入浴者が浴槽に入ると水位が上昇するので、測定された浴槽の水位変化から当該浴槽にユーザが入浴しているか否か判定する機能と、浴槽の水（または湯）が循環回路を介して循環するよう循環ポンプを所定時間毎に作動させる機能とを備える。
【００１７】
上記の構成によれば、循環ポンプが作動して循環回路内の水が循環することにより、循環回路内の水温を均一化して水温の低下を緩和することが可能となる。したがって、水温低下に伴う浴槽の水位変化と、当該水位変化に起因した入浴有無の誤判定とを防止することができる。
【００１８】
［実施の形態１］
図１は、本発明の実施の形態１に係るふろ給湯装置１の概略ブロック図である。図１を参照して、ふろ給湯装置１は、筐体１ａ内において、熱交換器および燃焼バーナ３０と、送風ファン３１と、水道水等を給水するための給水路に相当する入水管５０と、バイパス管６０と、出湯管７０と、ふろ給湯装置１の各部（弁、センサ、ポンプ等）を制御および監視するための制御部に相当するコントローラ１００とを備える。
【００１９】
給水路に相当する入水管５０および出湯管７０の間にはバイパス管６０が配置される。入水管５０には、バイパス管６０への分流を制御するための分配弁８０が介挿接続される。さらに、入水管５０には、入水サーミスタ１１０および流量センサ１５０が配置される。入水サーミスタ１１０は、給水路の入水温度、すなわち水道水の温度を検出する。分配弁８０の開度に応じて、給水量の一部が入水管５０からバイパス管６０へ分流される。
【００２０】
入水管５０の水で、燃焼バーナ３０の燃焼運転により熱交換器を介して所定温度まで加熱された湯は、出湯管７０から出湯される。出湯管７０は、合流点７５においてバイパス管６０と接続される。したがって、出湯管７０からの高温湯と、バイパス管６０からの水を混合した適温の湯が、台所や浴室等の給湯栓１９０や、浴槽８内への注湯回路等の所定の給湯箇所に供給される。
【００２１】
給湯路に相当する出湯管７０には、給湯流量を制御するための流量調整弁９０および温度センサ１３０が設けられる。温度センサ１３０は、バイパス管６０からの水が混合された後の出湯温度を検出する。
【００２２】
また、流量調整弁９０の下流側に、浴槽８への注湯（湯の供給）のための注湯電磁弁１３２が設けられる。
【００２３】
（循環回路）
図１のふろ給湯装置１は、循環回路を備える。循環回路は、浴槽８内に設けられた吸込口から熱交換器を経由して浴槽８内に設けられた吐出口へ至るように形成されている。具体的には、循環回路には、図中の矢印“ふろ戻り”で示す戻り回路および矢印“ふろ往き”で示す往き回路が設けられる。戻り回路の上流端（すなわち、浴槽８側）は、浴槽８に設置された循環アダプタ８１の吸込側に接続される。また、往き回路の下流端（すなわち、浴槽８側）は、循環アダプタ８１の吐出側に接続される。循環回路には、戻り回路において循環のためのポンプ３３および浴槽８内の水位を測定するための水位センサ３５が設けられる。水位センサ３５は、戻り回路の配管にかかる圧力（より特定的には配管内の水圧）を検出し、検出した圧力から浴槽８内の水位を検出する。また、戻り回路には、より特定的には水位センサ３５の付近において配管内の水温を測定するふろ戻り温度サーミスタ３４が設けられる。ふろ戻り温度サーミスタ３４は浴槽８から戻り回路に入水する浴槽水の温度を測定する。また、往き回路には、浴槽８内に出湯される水温を測定するふろ往き温度サーミスタ３６が設けられる。
【００２４】
なお、浴槽８内の水位は循環回路の途中部に設けられた圧力式の水位センサ３５の出力により示されるとしたが、水位センサは圧力式に限定されない。また水位センサの取付け位置は循環回路に限定されず、例えば浴槽８に設置されるとしてもよい。
【００２５】
浴槽８の水（または湯）が上記の循環回路を介して循環するようポンプ３３が作動すると、浴槽８からの浴槽水は、循環アダプタ８１の吸込口から、ふろ戻り配管および熱交換器、ならびに、ふろ往き配管を経由して、循環アダプタ８１の吐出口８６へ至る経路を循環する。これにより、浴槽８を含む循環回路内の水温を均一にすることができる。
【００２６】
（コントローラ１００の構成）
図２は本発明の各実施の形態に係るコントローラ１００の概略構成図である。コントローラ１００は、ＣＰＵ（Central Processing Unit）１０１、ふろ給湯装置１内の各種の弁、各種のポンプなどに弁の開閉、またはポンプ駆動のための制御信号を送出するとともに、各種センサ（水位センサ、サーミスタ等の温度センサ、流量センサ等）からの検出信号を入力するためのインターフェイス１０３、操作部１０４、ふろ給湯装置１の運転に関する情報を出力する出力部１０５、および記憶部１０２を含む。ＣＰＵ１０１は、図示しないタイマーを備えて、タイマーを用いた計時機能を有する。操作部１０４は、ふろ給湯装置１に対するユーザ操作（例えば、運転に関する指示入力の操作等）を受付けるためにスイッチ、ボタン等を含む。運転に関する指示には、浴槽８に湯張りする場合の水位の設定値や湯量の設定値または温度の設定値を含む。
【００２７】
記憶部１０２は、プログラムおよびデータを格納するための揮発性または不揮発性のメモリからなる。記憶部１０２に格納されるデータは、判定水位データ１２１、温度／時間テーブル１２２および設定値データ１２３を含む。判定水位データ１２１は、浴槽８の水位であってユーザが入浴しているか否かを判定するための水位を示す。また、温度／時間テーブル１２２は、複数の温度と、各温度に対応してポンプ３３を作動させる時間のデータが格納されている。設定値データ１２３は、上記の湯量の設定値、温度の設定値などのふろ給湯装置１を運転するために設定される各種値を含む。
【００２８】
ＣＰＵ１０１は、判定水位データ１２１を、設定値データ１２３が示す湯量の設定値から決定し、記憶部１０２に格納する。例えば、ＣＰＵ１０１は、湯量の設定値から予め定められた演算に従い判定水位データ１２１を算出する。または、湯量の設定値に基づき変換テーブルから判定水位データ１２１を検索する。判定水位データ１２１の決定方法は、これらに限定されない。
【００２９】
また、ＣＰＵ１０１は、判定水位データ１２１と測定した水位から浴槽８に湯張りする湯の量を求め、記憶部１０２に格納する。例えば、ＣＰＵ１０１は、判定水位データ１２１と測定した水位との差から予め定められた演算に従い湯張り湯量を算出する。または、水位差に基づき変換テーブルから湯量を検出してもよい。湯張りする湯量の決定方法は、これに限定されない。
【００３０】
コントローラ１００は、ふろ給湯装置１の運転開始スイッチがオン操作された状態で給湯栓１９０が開かれると、流量センサ１５０によって検出される流量が最低作動流量（ＭＯＱ）を超えるのに応じて、燃焼バーナ３０による燃焼動作をオンする。浴槽８への湯張りモードにおいて、ＣＰＵ１０１は、各種の弁（分配弁８０、流量調整弁９０、および注湯電磁弁１３２）を開弁制御する。これにより、浴槽８へ注湯が開始される。ＣＰＵ１０１は、流量センサの出力から浴槽８への注湯量を検出し、検出された注湯量と湯張り湯量とを比較し、比較の結果に基づき注湯運転を終了する。
【００３１】
注湯運転が終了後等の浴槽８に湯張りされた状態で、ＣＰＵ１０１は、水位センサ３５のよる測定水位と判定水位データ１２１とを比較し、比較の結果に基づき（測定水位≧判定水位データ１２１）の条件が成立すると判定した場合には、湯張りモードを終了し、ふろ給湯装置１の運転モードに従い各部を制御する。例えば、保温モードである場合に当該条件が成立するときは、ＣＰＵ１０１は、浴槽８の湯温を設定温度に保つように各部を制御する。
【００３２】
（処理フローチャート）
図３は、実施の形態１に係るふろ給湯装置１に処理フローチャートである。このフローチャートは、プログラムとして記憶部１０２に格納される。ＣＰＵ１０１が記憶部１０２からプログラムを読出し、読出されたプログラムを実行することにより処理が実現される。図４は、実施の形態１に係るポンプ３３を作動させるタイミングを示すタイミングチャートである。図３のフローチャートに従い、図４を参照しながら処理を説明する。なお、図３の処理は、上記に述べた浴槽８の湯張りがなされた後のふろ運転モードにおいて実行される。図３では、燃焼バーナ３０の燃焼運転は停止しており、ポンプ３３を所定時間Ｔ毎に作動させる処理を含む。
【００３３】
まず、ＣＰＵ１０１は、変数ｔに０を設定する（ステップＳ３）。変数ｔは、図３の処理において所定時間Ｔの経過を計測するためのタイマーを示す。
【００３４】
ＣＰＵ１０１は、水位センサ３５の出力から水位を検出し（ステップＳ５）、検出した水位に基づき浴槽８内に水（または湯）があるか否かを判定する（ステップＳ７）。ＣＰＵ１０１は、水が有ると判定しないときは（ステップＳ７でＮＯ）、ステップＳ５の処理に戻り、以降の処理を繰返す。
【００３５】
一方、ＣＰＵ１０１は、浴槽８内に水が有ると判定したときは（ステップＳ７でＹＥＳ）、タイマー判定を実施する（ステップＳ９）。具体的には、ＣＰＵ１０１は（ｔ≧Ｔ）であるか否かに基づき所定時間Ｔが経過したか否かを判定する（ステップＳ９）。ＣＰＵ１０１は（ｔ≧Ｔ）であると判定すると（ステップＳ９でＹＥＳ）、ポンプ３３を作動させるための制御信号を出力する。ポンプ３３は制御信号に従い作動する。
【００３６】
ＣＰＵ１０１は、ポンプ３３を作動開始させると、所定の時間ＣＴにわたりポンプ３３の運転が継続するように制御する（ステップＳ１３）。これにより、浴槽８の水（または湯）は循環回路を介して循環し、循環回路内の水温は均一化されて水温の低下が緩和される。
【００３７】
時間ＣＴが経過してポンプ３３が停止すると（ステップＳ１５）、ＣＰＵ１０１は、ポンプ３３が停止してからの経過時間を計測するためにタイマーをセットする。すなわち、変数ｔに０を設定する（ステップＳ１７）。
【００３８】
ＣＰＵ１０１は、ふろ運転モードを終了するか否かを判定する（ステップＳ１９）。例えば、ふろ給湯装置１の電源がオフされたとき、または予め定められた運転モードが実施される（切替えられる）ときは、ＣＰＵ１０１は、ふろ運転モードを終了すると判定し（ステップＳ１９でＹＥＳ）、図３の処理は終了する。一方、ふろ運転モードを終了しないと判定するときは（ステップＳ１９でＮＯ）、ステップＳ５に戻り以降の処理を同様に繰返す。
【００３９】
ステップＳ９において、ＣＰＵ１０１は（ｔ≧Ｔ）ではない、すなわち所定時間Ｔ内であると判定すると（ステップＳ９でＮＯ）、水位センサ３５により測定された水位が、判定水位データ１２１の水位よりも低い予め定められた水位であるか否かを判定する（ステップＳ１１）。具体的には、（判定水位ＤＴ＞測定水位ＷＬ≧閾値水位ＴＨ）の条件が成立するか否かを判定する（ステップＳ１１）。当該条件における判定水位ＤＴは、判定水位データ１２１が示す水位である。測定水位ＷＬは、ステップＳ５において水位センサ３５によって実際に測定された水位を示す。また、閾値水位ＴＨは、湯張りされた湯量に基づく水位、または設定値データ１２３が示す設定水位よりもαだけ低い水位を示す。このαの値は、温度の低下に従い水の密度が大きくなると体積（水圧）も増加するとの特性に鑑みて、上記に述べた入浴の誤判定を防止するために設定される値であって、予め実験等により決定される。
【００４０】
ＣＰＵ１０１は、（判定水位ＤＴ＞測定水位ＷＬ≧閾値水位ＴＨ）の条件が成立しないと判定すると（ステップＳ１１でＮＯ）、ステップＳ５の処理に戻り、以降の処理を繰返す。このように、測定水位ＷＬが上記の誤判定を起こさない範囲の水位を示すときは、循環回路におけるポンプ３３の作動（ステップＳ１３）はパスされる。一方、測定水位ＷＬが上記の誤判定を起こし得る範囲の水位を示すときは（ステップＳ１１でＹＥＳ）、ＣＰＵ１０１はポンプ３３を作動させる（ステップＳ１３）。
【００４１】
このようにＣＰＵ１０１は、ポンプ３３を所定時間Ｔが経過する毎に作動させるとともに、所定時間Ｔ内であっても（判定水位ＤＴ＞測定水位ＷＬ≧閾値水位ＴＨ）の条件が成立するときも作動させる。ポンプ３３が作動すると、循環回路における水が循環し水温は均一化し水温の低下が緩和される。これにより、測定水位ＷＬを上記の誤判定を起こさない範囲に移行させることが可能となる。
【００４２】
（タイミングチャート）
図４は、発明者の実験の結果を示す。図４では、横軸に同一の時間軸を設けて、当該時間軸に関連付けて、循環回路内の水温、ポンプ３３の作動、および測定水位ＷＬの変動の時間変化が示される。図４のタイミングチャートを、図３の処理と関連付けて説明する。
【００４３】
図４を参照して、まず水温が低下し、その低下に伴い配管内の水の密度が大きくなり体積が増加して測定水位ＷＬが上昇する。ＣＰＵ１０１は（判定水位ＤＴ＞測定水位ＷＬ≧閾値水位ＴＨ）の条件が成立するか否かを判定する。図４の時間ｔ１において、ＣＰＵ１０１は、当該条件が成立すると判定し（図３のステップＳ１１でＹＥＳ）、ポンプ３３を時間ＣＴにわたり継続して作動させる（図３のステップＳ１３）。
【００４４】
このポンプ３３の作動が終了してから時間ＴＴ（ただし、時間ＴＴ≧所定時間Ｔ）が経過したときにおいて、例えば図４の時間ｔ２において、回路内の水温が低下しＣＰＵ１０１は（判定水位ＤＴ＞測定水位ＷＬ≧閾値水位ＴＨ）の条件が成立すると判定すると（図３のステップＳ１１でＹＥＳ）、再度、ポンプ３３を時間ＣＴにわたり継続して作動させる（図３のステップＳ１３）。
【００４５】
図４のタイミングチャートによれば、ポンプ３３を作動させる毎に、循環回路内の水温を均一化して、水温低下を緩和することができた。したがって、水温低下に起因した水位センサ３５の測定水位ＷＬの変化量を軽減し、上記の誤判定を防止することができる。
【００４６】
[実施の形態２]
実施の形態２では、実施の形態１の変形例を説明する。上記に説明した所定時間Ｔまたは時間ＣＴは可変であってよい。例えば、循環回路内の水温に基づき所定時間Ｔまたは時間ＣＴを変更してもよい。ＣＰＵ１０１は、循環回路内の水温を、ふろ戻り温度サーミスタ３４の測定温度から取得することができるが、循環回路内の水温の測定方法は、ふろ戻り温度サーミスタ３４の出力を用いた態様に限定されない。
【００４７】
また、ふろ給湯装置１の周囲温度に基づき所定時間Ｔまたは時間ＣＴを変更してもよい。ＣＰＵ１０１は、周囲温度を、例えば外気温度を反映しやすい入水サーミスタ１１０の測定温度、または図示しない浴室リモコンに設けられたサーミスタ、または熱交換器側に設けられたサーミスタの測定温度から取得する。なお、周囲温度の取得方法は、この態様に限定されない。
【００４８】
ＣＰＵ１０１は、取得した循環回路内の水温または周囲温度に基づき、温度／時間テーブル１２２を検索する。検索の結果に基づき、温度／時間テーブル１２２から当該温度に対応した時間データを読出し、読出された時間データを所定時間Ｔまたは時間ＣＴに設定する。
【００４９】
これにより、所定時間Ｔまたは時間ＣＴを循環回路内の水温または周囲温度に基づき変更することができる。例えば、所定時間Ｔを、循環回路内の水温または周囲温度が低いほど短く（循環回路内の水温または周囲温度が高いほど所定時間Ｔが長く）なるように変更することができる。また、時間ＣＴを、循環回路内の水温または周囲温度が低いほど長く（循環回路内の水温または周囲温度が高いほど時間ＣＴが短く）なるように変更することができる。
【００５０】
[実施の形態３]
実施の形態３は、実施の形態１と２の変形例を説明する。実施の形態１と２では、ポンプ３３は上記の時間ＣＴが終了したとき停止するとしたが、停止のタイミングは、循環回路内の水温に基づき決定してもよい。
【００５１】
例えば、ポンプ３３の作動を開始後、ふろ戻り温度サーミスタ３４が測定する循環回路内の水温が所定温度に上昇するまで、または所定温度に上昇後に温度の変化が所定範囲に収束するまで、ポンプ３３を継続して作動させて、所定温度に上昇したとき、または当該収束が検出されたときに、ポンプ３３を停止するとしてもよい。この所定温度は、上記の誤判定を回避し得る温度であって、予め実験等により決定される。
【００５２】
また、時間ＣＴは、実施の形態２の方法と実施の形態３の方法とを組み合わせて決定してもよい。
【００５３】
[実施の形態の効果]
各実施の形態によれば、水位センサ３５により測定される水位の変化から入浴の有無を判定する機能を備えるふろ給湯装置１において、ポンプ３３を所定時間Ｔ毎に作動させて循環回路内の水温を均一化して、循環回路内の水温低下を緩和する。これにより、低水温時の水位センサの出力ドリフトに起因した入浴有無の誤判定を防止することができる。
【００５４】
また、本開示の背景として、循環回路内の水温が低下すると、浴槽８がふろ給湯装置１よりも上側に配置される階上浴槽のケースでは、水位センサ３５の測定水位は実際よりも高くなり、逆に、浴槽８がふろ給湯装置１よりも下側に配置される階下浴槽のケースでは、水位センサ３５の測定水位は実際よりも低くなる。このような階上浴槽または階下浴槽のケースにかかわらず、上記の各実施の形態によれば、ポンプ３３を所定時間Ｔ毎に作動させて循環回路内の水温を均一化して水温低下を緩和することが可能となる。したがって、これらいずれのケースでも、低水温時の水位センサ３５の出力ドリフトに起因した入浴有無の誤判定を防止することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  ふろ給湯装置、８  浴槽、３０  燃焼バーナ、３３  ポンプ、３４  ふろ戻り温度サーミスタ、１１０  入水サーミスタ、３５  水位センサ、８１  循環アダプタ、８６  吐出口、１００  コントローラ、１０２  記憶部、１２１  判定水位データ、１２２  時間テーブル、１２３  設定値データ、ＣＴ，ｔ１，ｔ２  時間、ＤＴ  判定水位、ＰＦ  変数、Ｔ  所定時間、ＴＨ  閾値水位、ＷＬ  測定水位、ｔ  経過時間。
【図１】
2018031541.tif 000003
【図２】
2018031541.tif 000004
【図３】
2018031541.tif 000005
【図４】
2018031541.tif 000006